(57)【要約】      （修正有）【課題】公共施設、病院等の各所に移動して空気、ガス等を洗浄する装置であって、その構成材料をダイオキシンの発生しないポリプロピレンを使用し全体を小型化で軽量化したもので移動自在で各場所において、高性能を発揮できる空気清浄装置を提供する。【解決手段】空気清浄装置を上部カバー部と、下部の空気吸込部とで構成し、その構成材料をポリプロピレンのオレフィン系樹脂を使用し、該空気吸込部には、内部の背面側に隔壁を設けて進行通路を形成する。該隔壁の表面側には、吸込口と、点検扉を内部に各種の内部に各種のフィルターを段設する。該空気吸込部の上部には、中性能フィルターとヘパフィルターを並設してある。且つ該上部カバー部には、内部にシロッコファンと、モーター及び背面に排気口を設けてある。【選択図】図２
0003118559.tif 000002
【実用新案登録請求の範囲】
【請求項１】
移動自在の装置本体（１）は、上部カバー部（３）と、下部の空気吸込部（２）とよりなる空気清浄装置において、該装置本体（１）は、その構成材料として硬質合成樹脂のポリプロピレン系樹脂を使用して形成され、該空気吸込部（２）には、内部の背面側に隔壁（５）を設けて進行通路（６）を形成し、該隔壁（５）の表面側には、吸込口（７）と、点検扉（１８）とを設けると共に、内部にプレフィルター（８）及び複数の活性炭フィルター（９）を段設し、且つ該空気吸込部（２）の上部には、中性能フィルター（１０）とヘパフィルター（１１）を並設し、下端には、移動自在のキャスターを装設し、該上部カバー部（３）には、内部にシロッコファン（１２）及びモーター（１４）を収納すると共に、背面側に排気口（１３）を装設したことを特徴とする空気清浄装置。
【考案の詳細な説明】
【技術分野】
【０００１】  本考案は、公共施設、病院等の集合場所又は研究室、検査室の環境改善、更に、製薬、電子、精密機材等の取扱い場所での人と製品の安全を守るために、ダイオキシンの発生しないポリプロピレンのオレフィン系樹脂を使用して形成し、且つ全体を小型化して自由自在に移動ができるようにした安全性を守る空気清浄装置に関するものである。
【背景技術】
【０００２】  一般にこの種の空気清浄装置は、固定式が多く移動が不可能な装置本体を塩化ビニール等のダイオキシンの発生する材料またはリサイクル化の不可能な構成材料を使用していた。従って、環境等を著しく悪化する材料が主体で製作されている現状であった。
更に、近年に至りアスベスト粉塵の対策問題等の高まりから、リサイクルが可能で、軽量で移動自在にしたダイオキシンの発生しない他の硬質合成樹脂に材料変更されることが検討されている現状である。
【考案の開示】
【考案が解決しよとうする課題】
【０００３】  本考案は、上記従来の技術の有する課題を解決するものであり、その主たる目的とする所は、空気を清浄にする装置本体は耐薬品、耐蝕性、耐熱性に優れ、表面硬度も著しく高く、大変に軽量で光沢の美しい、ポリプロピレンの硬質合成樹脂を使用した構成によって環境改善にも優れ、且つ、非常に小型化で軽量のため、移動自在で各場所において、高性能を発揮できる空気清浄装置を提供するものである。
【課題を解決するための手段】
【０００４】  上記目的を達成するために、本考案の空気清浄装置は、下部の空気吸込部と上部カバー部とよりなり、その構成材料として、硬質合成樹脂のポリプロピレン系樹脂を以って形成する。該空気吸込部には、内部の背面側に隔壁を設けて進行通路を装設する。該隔壁の表面側には、吸込口と、内部にプレフィルター及び活性炭フィルターを段設する。また、該空気吸込部の上部には、中性能フィルターとヘパフィルターを並設してある。且つ該上部カバー部には、内部にシロッコファン及びモーターを収納すると共に、背面側に排気口を装設したことを特徴としている。
【考案の効果】
【０００５】  本考案による空気清浄装置によれば、従来の構成材料を使用したものと比較すると、ポリプロピレンのオレフィン系樹脂を使用しているので、比重が最も小さく軽量化され自由に移動し、且つ公共施設、病院等の集合場所及び検査室内の粉塵対策、特にアスベスト粉塵対策に最適の効果と、リサイクルが可能であると共に、ダイオキシンが発生しないため環境に大変優れている効果がある。そして、空気清浄装置本体には、背面側に隔壁を設けて進行通路を形成し、吸込口を有する表面側の上部よりプレフィルターと複数の活性炭フィルターを段設したので、全ての空気の清浄と臭気を脱臭する効果がある。また、空気吸込部の内部上方に設けた中性能フィルターとヘパフィルターとの組合せによって空気中の粉塵等の清浄性能が抜群に向上する効果がある。更に、上部カバー部の内部に設けたシロッコファン等は、全て耐蝕製品を使用したので、半永久的に使用できる効果がある。
また、装置本体の下端に設けたキャスターによっては、従来の固定型装置のものと異なり移動式なので自由に場所を選定できる便利な効果もある。
【考案を実施するための最良の形態】
【０００６】  空気清浄装置は、空気吸込部（２）に局所排気用フードが取付可能となる吸込口（７）より、空気の導入または粉塵等が含んだ排出空気が浸入し、最初のプレフィルター（８）、複数の活性炭フィルター（９）を下降し、清浄と脱臭した排気空気は、下方より隔壁（５）に設けた進行通路（６）より上昇し、再度、中性能フィルター（１０）とヘパフィルター（１１）によって再清浄化され、上部カバー部（３）の内部のシロッコファン（１２）より排気口（１３）を経て大気中に放出されるものである。
【実施例】
【０００７】  次に、本考案の実施例を図面について説明すると、空気清浄の装置本体（１）は、上部カバー部（３）と、下方に位置する下部の空気吸込部（２）とより構成されている。該装置本体（１）は、その構成材料をダイオキシンの発生しないポリプロピレンのオレフィン系樹脂の硬質合成樹脂を構成材料として使用し、全体を小型化された縦型の略方形状に形成されている。
該空気吸込部（２）には、内部の背面側に空気又は排気ガス等が上昇する進行通路（６）を形成して縦方向に隔壁（５）を縦設する。該隔壁（５）の表面側には、空気又は排気ガスを吸込む吸込口（７）を装設する。また、該隔壁（５）の表面側には、上部よりプレフィルター（８）、引出し型等の特殊な活性炭フィルター（９）（９）を複数段に装設してある。
更に、該空気吸込部（２）には、出口側となる上部に中性能フィルター（１０）を設けると共に、該中性能フィルター（１０）の上部に所定間隔を設けてヘパフィルター（１１）を段設してある。また、該空気吸込部（２）は、表面に内部のフィルターを点検する点検扉（１８）と点検窓（１９）を２段に装設してある。
また、該上部カバー部（３）には、下方の該空気吸込部（２）よりの排気の空気又はガス等を吸引する排気口（１３）を設けたシロッコファン（１２）を設置すると共に、該シロッコファン（１２）の上部にモーター（１４）を設けてある。更に、該上部カバー部（３）には、上部に空気孔（１５）と、表面にファンスィッチ（１６）及び差圧計（１７）を各々装設してある。なお、符号（２１）は、該装置本体（１）を自由自在に移動できるためのキャスターである。
【図面の簡単な説明】
【０００８】
【図１】  本考案の一部開示した正面図である。
【図２】  同じく本考案の一部欠除した縦断側面図である。
【符号の説明】
【０００９】  １          装置本体
２          空気吸込部
３          上部カバー部
５          隔壁
６          進行通路
７          吸込口
８          プレフィルター
９          活性炭フィルター
１０        中性能フィルター
１１        ヘパフィルター
１２        シロッコファン
１３        排気口
１４        モーター
１６        ファンスィッチ
１７        差圧計
１８        点検扉
１９、２０  点検窓
２１        キャスター
【図１】
0003118559.tif 000003
【図２】
0003118559.tif 000004